(57)【特許請求の範囲】
【請求項１】
ケース本体の前面等の開口部の上下部位に、横断面前向きコ字型の上枠と下枠とを前記開口部の間口幅の長さにわたって備え、前記開口部を塞ぐための開閉扉を透明材料にて構成し、該開閉扉の基端部と前記上下両枠の一端部との間をヒンジ手段にて回動可能に連結するように構成し、
前記各ヒンジ手段は前記上下各枠の前方から見えるように、横断面前向きコ字型の外向き開放部分内に装着されており、
前記開閉扉には、前記上枠及び下枠の各前方を見えなくする不透明部を備えたことを特徴とする陳列用ケース。
【請求項２】
前記上枠及び下枠における外向き開放部分内に、前記ヒンジ手段における支持ブラケット体を嵌合装着し、前記開閉扉の内面に、前記不透明部を桟を挟んで固着し、該桟に基端部が固着されたリンクの先端部は前記支持ブラケット体に回動可能に枢着されていることを特徴とする請求項１に記載の陳列用ケース。
【請求項３】
前記開閉扉の裏面側には、当該開閉扉を閉止回動するとき、前記上枠または下枠のいずれか一方もしくは双方における外向き開放部に対して乗り上げるように構成した垂れ下がり防止手段を備えたことを特徴とする請求項１または請求項２に記載の陳列用ケース。
【発明の詳細な説明】
【０００１】
【発明の属する技術分野】
本発明は、ショーケース等の陳列用ケースの構造に係り、より詳しくは陳列用ケースにおける開閉扉等の構造に関するものである。
【０００２】
【従来の技術】
物品の陳列用ケースとして、例えばケース本体の立方体状の枠体の外面を、底板、天板、左右両側板、正面板及び背板にて囲み、そのうち左右両側板と、正面板と、所望によっては背面板とを、透明ガラス板にて構成し、前記左右側板、正面板、背板のいずれか一つを蝶番（ヒンジ手段）を介して開閉可能な開閉扉となるように構成し、この開閉扉を開いて、ケース本体内に陳列すべき物品を出し入れすることは従来から周知の構造である。
【０００３】
【発明が解決しようとする課題】
しかしながら、開閉扉の基端部と、ケース本体における枠体とを連結する蝶番（ヒンジ手段）の部分は一般的に金属部品であり、開閉扉がガラス板のような透明材料から構成しているときには前記蝶番（ヒンジ手段）の箇所が外から透けて見えることになり、見苦しい。
【０００４】
また、開閉扉の上下端部等は、当該開閉扉を閉じたときには、前記枠体の外面に対して対面することになるから、その対面箇所もガラス板を通して透けて見え、枠体の外面を平面にしないときには見苦しいという問題があった。
【０００５】
他方、前記枠体の外面を平面に形成すると、前記蝶番（ヒンジ手段）等の取付け箇所に特別の工夫を要し、陳列用ケースの組立などの作業に手間取る等で製造コストが高くなるという問題があった。
【０００６】
本発明は、これら従来の構成の問題点を解決すべくなされたものであって、組立等の作業も容易であり、外観も良好にして、製造コストの安い陳列用ケースを提供することを目的とするものである。
【０００７】
【課題を解決するための手段】
前記目的を達成するため、請求項１に記載の発明の陳列用ケースは、ケース本体の前面等の開口部の上下部位に、横断面前向きコ字型の上枠と下枠とを前記開口部の間口幅の長さにわたって備え、前記開口部を塞ぐための開閉扉を透明材料にて構成し、該開閉扉の基端部と前記上下両枠の一端部との間をヒンジ手段にて回動可能に連結するように構成し、前記各ヒンジ手段は前記上下各枠の前方から見えるように、横断面前向きコ字型の外向き開放部分内に装着されており、前記開閉扉には、前記上枠及び下枠の各前方を見えなくする不透明部を備えたものである。
【０００８】
また、請求項２に記載の発明は、請求項１に記載の陳列用ケースにおいて、前記上枠及び下枠における外向き開放部分内に、前記ヒンジ手段における支持ブラケット体を嵌合装着し、前記開閉扉の内面に、前記不透明部を桟を挟んで固着し、該桟に基端部が固着されたリンクの先端部は前記支持ブラケット体に回動可能に枢着されているものである。
【０００９】
さらに、請求項３に記載の発明は、請求項１または請求項２に記載の陳列用ケースにおいて、前記開閉扉の裏面側には、当該開閉扉を閉止回動するとき、前記上枠または下枠のいずれか一方もしくは双方における外向き開放部に対して乗り上げるように構成した垂れ下がり防止手段を備えたものである。
【００１０】
【発明の実施の形態】
次に、本発明を具体化した実施形態について説明する。図１は陳列用ケースの斜視図、図２は陳列用ケースの正面図、図３は上面図、図４はヒンジ手段の要部側断面図である。
【００１１】
図１に示すように、陳列用ケースは、鋼材もしくはアルミ材等の角パイプ部材にて４本の支柱部材３と上下位置等の多数箇所の横梁部材４とを溶接して結合して枠状に形成したケース本体１と、該ケース本体１の前面の開口部を上下位置のヒンジ手段１０，１０を介して開閉自在に覆う開閉扉２等からなる。ケース本体１の背面を覆う背板５、天板６，６′、底板７は不透明な部材にて構成する一方、ケース本体１の左右両側板８，８と、前記開閉扉２とは透明材料、例えばガラス板もしくはアクリル樹脂等の樹脂材にて構成する。背板５を透明板にて構成しても良い。
【００１２】
また、前記ケース本体１における前面開口部の上下部位には、図４、図７〜図１０までに示すように、鋼材もしくはアルミ材等の横断面前向きコ字型等の外向き開放状の上枠１１と下枠１２とを有する。また、ケース本体１の下端の足部１ａには各々高さ調節用のアジャスタ９を備えている。
【００１３】
次に、本実施例ではケース本体１の右端を回動中心として前開きする開閉扉２における上下位置のヒンジ手段１０，１０の構成について説明する（図４参照）。なお、上下位置のヒンジ手段１０は互いに上下対称状であり、支持ブラケット体１３を介して上枠１１，下枠１２におけるその外向き開放部位から各々装着するもので、図５〜図９を参照しながら、代表として下部側のヒンジ手段１０について説明する。
【００１４】
下枠１２は、下片１２ａと奥片１２ｂと上片１２ｃとからなるコ字部材である。他方、アルミダイカスト、アルミ押出材等の支持ブラケット体１３は、横断面が略コ字状であって、前記下枠１２右端部における下片１２ａの上面に載置する下辺部１３ａと、前記奥片１２ｂの前面に当接する縦辺部１３ｂと、奥片１２ｂから前方に突出し、前記下辺部１３ａと平行な上辺部１３ｃとを有する。この下辺部１３ａの先端には前記下片１２ａの先端縁に被嵌する鉤部１３ｄを一体的に備え、奥片１２ｂの前面に前記縦辺部１３ａを当接させた状態にて、下枠１２の外向き開放側から複数箇所のボルト２２にて固定することができるように構成されている。
【００１５】
図１、図５及び図７に示すように、上下一対の摩擦係数の少ない材料（例えばポリアミド樹脂等）からなる摺接板１５ａ，１５ｂにて挟んだ第１リンク１４の基端を、支持ブラケット体１３における下辺部１３ａと上辺部１３ｃとに貫通させた第１固定軸１６の回りに水平回動可能に装着する。この第１リンク１４の先端は、開閉扉２の基端側に配置するプレート１７の下面にネジ１８にて固定した下向きコ字型のガイドレール１９に沿って摺動自在な第１スライド片２０に回動可能にピン２１にて枢着されている。なお、図４等から理解できるように、開閉扉２の下端及び裏面は横断面略Ｚ字状の横長の桟２３にシリコーンゴム等の接着剤２４にて固定され、桟２３の上水平片２３ａは前記プレート１７の上面にてボルト２５により固着されている（図４及び図８参照）。
【００１６】
前記開閉扉２の基端側にてプレート１７に、金属製の上下一対のスペーサ２６ａ，２６ｂを介して第２上リンク２７及び第２下リンク２８の基端部を第２固定軸２９にて回動のみ可能に装着させる（図５〜図７参照）。そして，この第２上リンク２７及び第２下リンク２８の先端部は、前記支持ブラケット体１３における下辺部１３ａと上辺部１３ｃと縦辺部１３ｂと間にて前記下枠の長手方向（ケース本体１の間口方向）に沿って摺動可能に嵌合された上下一対の第２スライド片３０、及びスペーサ３２にピン３１を介して回動可能に枢着されている（図５、図６及び図９参照）。この第２スライド片３０が前記支持ブラケット体１３から前方向に抜け出さないようにするため、支持ブラケット体１３における下辺部１３ａと上辺部１３ｃとには、抜け止め突条部３３ａ，３３ｂを有する（図９参照）。
【００１７】
さらに、前記第１リンク１４と第２上リンク２７及び第２下リンク２８の長手方向中途部をワッシャ３５等を介して中間ピン３４に相対的に水平回動可能に連結されている（図５、図６及び図８参照）。
【００１８】
また、図１及び図１０に示すように、開閉扉２の自由端寄り部位の裏面には、桟２３に固定したブラケット４０に横枢軸４１を介して装着されたコロ４２からなる垂れ下がり防止手段３９を固定する一方、前記摩擦係数の小さい合成樹脂材からなる断面Ｌ字状のガイド体４３を、下枠１２内にボルト４４にて固定し、ガイド体４３における前下向き傾斜面４３ａを前記コロ４２の下面通過部に臨ませることにより、開閉扉２をケース本体１に対して閉じ方向に移動するとき、コロ４２の下面が傾斜面４３ａに案内されながら上昇するので、当該開閉扉２の自重による自由端側の垂れ下がりを防止し、前記ヒンジ手段１０の各部材に不必要な上下曲げ力が発生してがたつきすることも防止できる。垂れ下がり防止手段３９の別の実施例として、コロ４２に代えて、橇状のものとしても良い。
【００１９】
なお、前記前下向き傾斜面４３ａの前端には下枠１２における下辺部１２ａの前縁をカバーする保護部４３ｂを一体的に形成することにより、前記コロ４２の下面の案内を円滑にすると共に１箇所のボルト４４止めにてガイド体４３自体の浮き上がりも防止することができる。符号４５は、前記下枠１２及び上枠１１の前面と開閉扉２の裏面との気密性を確保するためのパッキン材である。さらに、前記下枠１２及び上枠１１の前面である開放部分（外向き開放部分）を見えなくする（隠す）ように、開閉扉２の上下端部には不透明部４７を形成しもしくは設ける。この第１実施例として、図１、図２及び図４に示すように、開閉扉２の裏面側の上下端部に、適宜色彩の不透明なフィルム４６ａ，４６ｂを帯状に貼着する。この場合、開閉扉２を上下の桟２３に接着剤２４にて固定する前に貼着することが好ましく、また、開閉扉２の間口方向の全長にわたって一律に帯状のフィルム４６ａ，４６ｂを貼着しても良いし、このとき、前記パッキン材４５の箇所も隠れるようにすることが好ましい。さらに、前記ヒンジ手段１０の配置された箇所や、垂れ下がり防止手段３９としてのコロ４２とそのブラケット４０、ガイド体４３の箇所のみの部位を隠すようにしても良い。不透明部４７の構造として、帯状で薄い金属板や塗装としても良い。
【００２０】
なお、上枠１１及び下枠１２は、断面Ｌ字状となし、その水平辺の自由端を外向きにし、垂直辺をケース本体１の奥側に位置するごとく配置しても良いし、角パイプ状もしくは丸パイプ状の部材にて上枠１１及び下枠１２を構成し、前記ヒンジ手段１０の取付け箇所や垂れ下がり防止手段３９としてのコロ４２等の配置箇所のみ前面開放部となるように切欠き形成しても良い。
【００２１】
以上の構成によれば、図５及び図６に示すように、開閉扉２がケース本体１の間口の開口部を閉じた状態では、ヒンジ手段１０における第１リンク１４と第２上リンク２７及び第２下リンク２８の各長手方向の大部分が、下枠１２及び上枠１１における外向き開口部を介して支持ブラケット体１３内に収まることになり、その部分が透明なガラス板のような透明部材からなる開閉扉２を透かして陳列用ケースの前方から丸見えになるが、前記不透明部４７である帯状の不透明のフィルム４６ａ，４６ｂが当該開閉扉２上下部位に位置するので、ヒンジ手段１０の存在、外向きに開放状の上枠１１及び下枠１２の存在等が隠されて、外観を良好にすることができる。また、上枠１１及び下枠１２が外向きに開放状であるため、各ヒンジ手段１０における支持ブラケット体１３を装着固定する手間が極めて簡単にできるという効果を奏する。
【００２２】
なお、図９から理解できるように、ケース本体１の前面に対して、平面視において、開閉扉２が略９０度開いたとき、それ以上の開き回動を防止するため、前記第１リンク１４の中途部が開閉扉２の基端側の第２固定軸２９の側面に当接してそれ以上の角度で開くことを阻止できる。この第１リンク１４の平面視形状を工夫することにより、開閉扉２の最大開き角度を任意に調節することができる。さらに、図１に示すように、ケース本体１における外向きに開放状の上枠１１又は下枠１２に基端を水平回動可能に装着したストッパーリンク５０を前記開閉扉２の上下部位の桟２３にフランジ（図示せず）を介して回動可能に連結して、開閉扉２が所定角度以上に開くのを防止するようにしても良い。
【００２３】
また、前記ヒンジ手段１０における開閉扉２側との連結部材や、垂れ下がり防止手段３９としてのブラケット４０を前記桟２３を介挿することなく取付けする構成であっても、本発明は適用できることはいうまでもない。
【００２４】
【発明の効果】
以上に説明したように、請求項１に記載の発明の陳列用ケースは、ケース本体の前面等の開口部の上下部位に、横断面前向きコ字型の上枠と下枠とを前記開口部の間口幅の長さにわたって備え、前記開口部を塞ぐための開閉扉を透明材料にて構成し、該開閉扉の基端部と前記上下両枠の一端部との間をヒンジ手段にて回動可能に連結するように構成し、前記各ヒンジ手段は前記上下各枠の前方から見えるように、横断面前向きコ字型の外向き開放部分内に装着されているので、ヒンジ手段を取付けする手間を格段に容易にすることができる。そして、前記開閉扉には、前記上枠及び下枠の各前方を見えなくする不透明部を備えたものであるから、少なくとも上枠及び下枠と、透明な開閉扉の基部との間に配置されたヒンジ手段が前記不透明部により隠されて、陳列ケースの外観が向上するという効果を奏する。
【００２５】
また、請求項２に記載の発明は、請求項１に記載の陳列用ケースにおいて、前記上枠及び下枠における外向き開放部分内に、前記ヒンジ手段における支持ブラケット体を嵌合装着したものであるから、ヒンジ手段を取付けする作業を前記上枠及び下枠における外向き開放部からだけで実行できて、取付けの手間を格段に容易にすることができる。
【００２６】
そして、前記開閉扉の内面に、前記不透明部を桟を挟んで固着し、該桟に基端部が固着されたリンクの先端部は前記支持ブラケット体に回動可能に枢着されているので、ヒンジ手段を取り付けるための桟も不透明部で開閉扉の前方から見えなくでき、ヒンジ手段における支持ブラケットにリンクの先端部を枢着した状態で、前以って上枠及び下枠における外向き開放部分内に装着し、このリンクの基端を、開閉扉の内面側に予め固定した桟に連結すれば良いから、取り付け作業が至極容易となる。また、前記上枠及び下枠における外向き開放部に、前記ヒンジ手段における支持ブラケット体を嵌合装着しものでありながら、そのヒンジ手段並びに支持ブラケット体の装着箇所をそのままにしておいても、開閉扉を閉じるだけで前記不透明部により、簡単に隠すことができるという効果を奏する。
【００２７】
さらに、請求項３に記載の発明は、請求項１または請求項２に記載の陳列用ケースにおいて、前記開閉扉の裏面側には、当該開閉扉を閉止回動するとき、前記上枠または下枠のいずれか一方もしくは双方における外向き開放部に対して乗り上げるように構成した垂れ下がり防止手段を備えたものである。
【００２８】
開閉扉の自由端側が垂れ下がるのを防止する手段が当該透明な開閉扉に装着されている箇所があっても、前記不透明部の存在により簡単に隠して見えなくすることができ陳列用ケースの外観が向上するという効果を奏する。
【図面の簡単な説明】
【図１】  陳列用ケースの斜視図である。
【図２】  陳列用ケースの正面図である。
【図３】  陳列用ケースの上面図である。
【図４】  図１のIV−IV線矢視要部拡大側断面図である。
【図５】  開閉扉を閉じた状態のヒンジ手段の平断面図である。
【図６】  開閉扉を開いた状態のヒンジ手段の平断面図である。
【図７】  図５のVII −VII 線矢視拡大側断面図である。
【図８】  図５の VIII −VIII線矢視拡大側断面図である。
【図９】  図５のIX−IX線矢視拡大側断面図である。
【図１０】  垂れ下がり防止手段の側断面図である。
【符号の説明】
１        ケース本体
２        開閉扉
１０        ヒンジ手段
１１        上枠
１２        下枠
１３        支持ブラケット体
１４        第１リンク
２７        第２上リンク
２８        第２下リンク
３９        垂れ下がり防止手段
４７        不透明部
【図１】
0003644522.tif 000002
【図２】
0003644522.tif 000003
【図３】
0003644522.tif 000004
【図４】
0003644522.tif 000005
【図５】
0003644522.tif 000006
【図６】
0003644522.tif 000007
【図７】
0003644522.tif 000008
【図８】
0003644522.tif 000009
【図９】
0003644522.tif 000010
【図１０】
0003644522.tif 000011